(57)【特許請求の範囲】
【請求項１】
連続紙の搬送方向と交差する方向に配された直線状の固定刃と、該固定刃に対して搬送下流側から所定角度をもって回転可能に当接する回転刃とを有し、前記回転刃を前記固定刃に沿って移動させることにより連続紙を切断する切断装置と、
前記切断装置を連続紙を切断可能な切断位置と上方に退避した退避位置との間で移動させるための昇降手段と、を備えた記録装置において、
前記昇降手段により前記切断装置を前記切断位置に移動させたとき、搬送方向と交差する方向に延びる支点を中心に該切断装置を搬送上流側へ回動させることにより、該切断装置を搬送上流側の位置規制部材に当接させることを特徴とする記録装置。
【請求項２】
前記切断装置が前記切断位置にあるときに該切断装置の自重を該切断装置の重心位置より搬送下流側で支持する支持部を有することを特徴とする請求項１に記載の記録装置。
【請求項３】
前記昇降手段の昇降力を受けるために前記切断装置に設けられた昇降入力部と、前記切断装置が前記切断位置にあるときに前記昇降入力部に前記昇降手段の押し下げ力を作用させる昇降駆動部と、前記切断装置が前記切断位置にあるときに該切断装置を支持する支持部と、を有し、前記支持部が前記昇降入力部よりも搬送下流側に位置することを特徴とする請求項１に記載の記録装置。
【発明の詳細な説明】
【技術分野】
【０００１】
本発明はロール紙等の連続紙を切断するための切断装置を備えた記録装置に関する。
【背景技術】
【０００２】
プリンタ、ファクシミリ、複写機等の記録装置であって、特にポスターなどを印刷する大判系の機種においては、幅の広いロール紙等の連続紙から定型サイズのカット紙まで、用途に応じて記録媒体を使い分けて画像を出力する構成のものが広く使用されている。そこで、特許文献１は、ユーザの利便性を考慮して、連続紙とカット紙との両方の記録媒体を自動切り換え可能な画像形成装置の構成が開示されている。記録装置は、搬送ローラにより画像形成部まで搬送された記録媒体に対し、画像情報に基づいて記録ヘッドにより画像を記録する。画像形成部の搬送下流側には記録媒体を装置本体外へ搬送する排紙ローラが配される。
【０００３】
連続紙を用いる記録装置では、排紙ローラの搬送下流に記録媒体を切断するための切断装置が配され、その搬送下流に排紙口が配される。切断装置は回転刃と固定刃とを有する。固定刃は、記録媒体の通過パス下面の全幅にわたって搬送方向と交差する方向に配され、その固定刃に沿って回転刃を移動させることで記録媒体を切断する。切断装置は排紙ローラと排紙口の間に配され、その固定刃は用紙下側全幅に配されている。そのため、カット紙を用いる際の排紙の妨げとならないように、切断装置を退避位置へ移動させるための移動機構が設けられている。つまり、カット紙に記録する際は、あらかじめ回転刃および固定刃を含む切断装置全体を搬送路から上方に退避させ、排出ローラから排紙口へ直接搬送することで排紙不良を防止している。また、ロール紙（連続紙）に記録する際は、切断装置を排紙ローラと排紙口の間に戻し、切断装置によりページ毎に切断したロール紙をその自重で排出可能にしている。
【先行技術文献】
【特許文献】
【０００４】
【特許文献１】特開２００８−１１０５０６号公報
【発明の概要】
【発明が解決しようとする課題】
【０００５】
上記の切断装置は、ロール紙の搬送方向と交差する方向の刃先を有する固定刃と、固定刃の刃先に対して所定の角度をもって回転可能に当接する回転刃とで構成される。かかる構成では、回転刃は、ロール紙の搬送方向に対し角度を有することになり、ロール紙を切断するときに搬送上流側に向けて喰い込もうとする。そのため、切断装置は、回転刃の切断方向への移動に伴って、固定刃を含む装置全体が搬送上流側へ片寄る方向の力をロール紙から受けることになる。
【０００６】
そこで、負荷を抑えながら切断装置を滑らかに昇降させるためには、昇降手段に切断装置をスムーズに摺動させるための僅かなガタ（隙間）が必要となる。一方、このようなガタの存在により、切断装置が搬送下流側に傾いた状態で切断動作を行うと、回転刃の移動に伴って切断装置が搬送上流側へ引っ張られた状態となる。そのため、切断装置の搬送方向における位置が切断動作の過程で変位する（あるいは不安定になる）おそれがある。ロール紙は、固定刃の刃先に沿って切断されるため、切断装置が切断動作の過程で変位すると、カットラインが直線にならず、切断開始近傍の位置でカットラインが曲がるおそれがある。
【０００７】
本発明はこのような技術的課題に鑑みてなされたものである。本発明の目的は、連続紙を切断するための切断装置を昇降させる際の負荷を低減するとともに、連続紙を切断するときのカットラインを直線にすることができる記録装置を提供することである。
【課題を解決するための手段】
【０００８】
本発明は、連続紙の搬送方向と交差する方向に配された直線状の固定刃と、該固定刃に対して搬送下流側から所定角度をもって回転可能に当接する回転刃とを有し、前記回転刃を前記固定刃に沿って移動させることにより連続紙を切断する切断装置と、前記切断装置を連続紙を切断可能な切断位置と上方に退避した退避位置との間で移動させるための昇降手段と、を備えた記録装置において、前記昇降手段により前記切断装置を前記切断位置に移動させたとき、搬送方向と交差する方向に延びる支点を中心に該切断装置を搬送上流側へ回動させることにより、該切断装置を搬送上流側の位置規制部材に当接させることを特徴とする。
【発明の効果】
【０００９】
本発明によれば、連続紙を切断するための切断装置を昇降させる際の負荷を低減するとともに、連続紙を切断するときのカットラインを直線にすることができる記録装置が提供される。
【図面の簡単な説明】
【００１０】
【図１】一実施形態に係る記録装置の切断装置が切断位置にあるときの状態を示す縦断面図
【図２】図１の記録装置の切断装置が退避位置にあるときの状態を示す縦断面図
【図３】切断装置の斜視図である。
【図４】回転刃と固定刃の位置関係を示す平面図
【図５】固定されていない状態で切断した場合の切断装置を示す平面図
【図６】切断装置が搬送路から上方に退避した位置にある状態を示す縦断面図
【図７】切断装置が切断位置にある状態を示す縦断面図
【図８】第２の実施形態に係る切断装置が搬送路から上方に退避した位置にある状態を示す縦断面図
【図９】第２の実施形態に係る切断装置が切断位置にある状態を示す縦断面図
【発明を実施するための形態】
【００１１】
以下、図面を参照して本発明の実施形態を具体的に説明する。なお、各図面を通して同一符号は同一または対応部分を示すものである。
〔第１の実施形態〕
図１は一実施形態に係る記録装置の切断装置が切断位置にあるときの状態を示す縦断面図である。図２は図１の記録装置の切断装置が退避位置にあるときの状態を示す縦断面図である。記録装置１は、所定サイズのカット紙と連続紙であるロール紙の両方の記録媒体を自動切り換え可能である。連続紙であるロール紙１０１は巻回された記録紙やプラスチックシートからなる記録媒体であり、カット紙１０２は一定寸法に裁断された記録紙やプラスチックシートからなる記録媒体である。これら連続紙およびカット紙としては種々の材質のものを使用することができ、材質を限定されるものではない。なお、図示の記録装置１は、画像情報に基づいて記録ヘッド７０の吐出口から記録媒体へインクを吐出して記録を行うインクジェット記録装置である場合を例示する。
【００１２】
まず、図１を参照して、記録装置にロール紙が給紙され、切断装置により切断されるまでの一連の動作を説明する。連続紙であるロール紙１０１は、搬送手段としての一対のローラからなるロール紙給紙ローラ２により、搬送ローラ３へ搬送される。搬送ローラ３は、搬送手段としての一対のローラからなり、画像形成部へロール紙およびカット紙を搬送する。キャリッジ４は、記録ヘッド７０を搭載し、主走査ガイドとしてのキャリッジシャフト５に沿って往復移動可能に案内支持されている。プラテン６は、画像形成部において記録媒体を裏面から案内支持し、記録ヘッド７０と記録媒体とのギャップを保証している。排紙ローラ７および拍車７ａからなる一対の回転体は、画像形成部を通して搬送されてくる記録媒体を排紙口７１から装置本体外の排紙トレイ９へ案内するための搬送手段である。
【００１３】
排紙ローラ７と排紙口７１との間に切断装置８が配設されている。切断装置８は、回転刃２１と固定刃３１によりロール紙１０１を所定サイズに切断するためのものである。記録装置１には、連続紙（ロール紙）１０１を切断可能な搬送路に沿った切断位置と上方に退避した退避位置との間で切断装置８を昇降移動させる（昇降駆動する）ための昇降手段４０（図６）が設けられている。ロール紙１０１に画像を記録するときは、切断装置８が切断位置に配されているかどうかを確認し、切断装置８が切断位置に配されていない場合は切断位置まで降下移動させてロール紙１０１を切断可能な状態にする。そして、ロール紙１０１をロール紙給紙ローラ２により解きながら搬送ローラ３へ搬送する。ロール紙１０１が搬送ローラ３のニップに到達するとロール紙給紙ローラ２はニップを開放した状態となる。次いで、ロール紙１０１は搬送ローラ３により画像形成部に搬送される。
【００１４】
記録装置１には、ＣＰＵ、メモリおよびＩ／Ｏ回路等を備えたコントローラからなる制御手段９０が設けられている。この制御手段９０は、内部メモリに予め格納された制御プログラムに従い、駆動モータや各種装置の動作を制御する。これにより、記録媒体（連続紙およびカット紙）の搬送・記録の動作を制御するとともに、画像データに基づいて記録ヘッド７０の駆動を制御することにより、記録媒体に画像を記録していく。また、制御手段９０は、切断装置８および昇降手段４０（５０）の動作を制御する。さらに、制御手段９０は、その他の記録装置の全体の動作およびそのタイミングを制御する。
【００１５】
画像形成部において、キャリッジ４の往動または復動による１ライン分のスキャンにより画像を形成すると、ロール紙１０１を搬送ローラ３により矢印Ａの方向（搬送方向）に所定ピッチだけ送る。そこでキャリッジ４を再び移動させて次のラインの画像形成を行う。１ライン分の画像形成と所定ピッチの紙送りを交互に繰り返すことにより、ページ全体に画像が記録される。ロール紙の１０１の記録済み部は、排紙ローラ７により装置本体外の排紙トレイ９へ向けて搬送される。所定範囲（１ページ分）の記録が終了すると、ロール紙１０１は搬送ローラ３により所定の切断位置まで搬送される。切断装置８は、切断位置において、下側に配された固定刃３１の上面に支持された記録媒体を、その上面から回転刃２１により切断していくように構成されている。ロール紙１０１が切断位置まで搬送されると、排紙ローラ７と拍車７ａのニップでロール紙１０１を挟持する。そして、記録されたロール紙１０１は、切断動作信号に基づいて、切断位置（下降位置）にある切断装置８の回転刃２１と固定刃３１によって切断される。切断動作の前に排紙ローラ７と拍車７ａでロール紙１０１を挟持することにより、切断時におけるロール紙１０１の浮き上がりを防止することができ、正確にロール紙１０１を切断することができる。また、切断装置８は排紙ローラ７と排紙口との間に配されているため、切断されたロール紙１０１は自重により排紙トレイ９に排出される。記録媒体の下側に配される固定刃３１の上面はプラテン６の通紙面より低位に位置し、排紙トレイ９の上面（載置面）は固定刃３１の上面より低位に位置しており、したがって、これらはロール紙１０１が搬送方向に対して漸次低位に配されている。
【００１６】
次に、図２を参照して、記録装置にカット紙が給紙され、記録されたカット紙が排紙トレイ９に排出されるまでの一連の動作について説明する。給紙カセット１０はカット紙１０２を積載収納するためのものであり、装置本体に着脱可能になっている。給紙カセット１０に収納されたカット紙１０２は、カット紙給紙ローラ１１と分離ローラ１２からなるローラ対により、１枚ずつ分離されて中間給紙ローラ１３へ搬送される。中間給紙ローラ１３は、搬送手段としての一対のローラからなり、カット紙１０２を搬送ローラ３へ搬送する。
【００１７】
カット紙１０２に画像を記録するときは、切断装置８が搬送路から上方に退避した退避位置にあるか否かを確認し、退避位置にない場合は後述する昇降手段の駆動により退避位置まで上昇移動させてカット紙１０２の排紙を妨害しない状態にする。カット紙１０２は、カット紙給紙ローラ１１と分離ローラ１２により１枚ずつ中間給紙ローラ１３に導かれ、さらに中間給紙ローラ１３により搬送ローラ３に導かれる。そして、搬送ローラ３により画像形成部に搬送されたカット紙１０２に対し、ロール紙１０１の場合と同様に、記録ヘッド７０による１ライン分の画像形成と所定ピッチの紙送りを交互に繰り返すことによりページ全体に画像を記録する。カット紙１０２は搬送ローラ３を抜ける前に排紙ローラ７と拍車７ａのニップで挟持され、搬送ローラ３と同期駆動される排紙ローラ７により装置本体外へ向けて搬送される。画像記録を終了したカット紙１０２は、排紙ローラ７と拍車７ａにより排紙口７１へ直接搬送され、排紙トレイ９へ排出される。記録媒体をロール紙１０１とカット紙１０２に切り換え可能な記録装置１においては、以上のように、排紙ローラ７と排紙口７１との間に切断装置８を配設し、切断装置８を搬送路上の切断位置と上方の退避位置との間で切り換えることにより、記録媒体の排紙性を向上させている。
【００１８】
図３は切断装置８の斜視図である。図４は切断装置８の回転刃と固定刃の位置関係を示す平面図である。図５は切断装置が固定されていない状態で記録媒体を切断したときの当該切断装置の変位を例示する平面図である。次に図３、図４および図５を参照して、切断装置８について説明する。切断装置８は回転刃ユニット２０と固定刃ユニット３０を備えている。回転刃ユニット２０は回転刃２１と回転刃ホルダ２２で構成されている。固定刃ユニット３０は固定刃３１とガイドレール３２とスライダ３３とプーリ３４とベルト３５などで構成されている。回転刃ユニット２０は、両端のプーリ３４、３４の間に張架されたベルト３５に連結されることでガイドレール３２に沿って移動可能なスライダ３３に固定されている。連結されている。
【００１９】
ガイドレール３２の上面に固定された固定刃３１は、直線状をしており、記録媒体（連続紙）１０１の搬送方向と交差する方向（通常、直交する方向）に配されている。回転刃ホルダ２２に保持された回転刃２１は、固定刃３１の搬送方向下流側に配され、固定刃３１の刃先３１ａに対して搬送下流側から所定角度αをもって回転可能に当接するように保持されている。ガイドレール３２は回転刃ユニット２０を記録媒体の搬送方向と交差する矢印Ｂ方向に案内するように構成されており、その上面は記録媒体の通紙面と平行な平面部となっている。この平面部の上面に直線状の固定刃３１が両面テープまたはスポット溶接などの固定手段で固定されている。固定刃３１の搬送下流側の端縁には、記録媒体の搬送方向と交差（直交）する矢印Ｂ方向Ｂに刃先３１ａが設けられている。スライダ３３はガイドレール３２の内側の案内面に沿って移動可能であり、回転刃ユニット２０はスライダ３３に保持されている。スライダ３３は両端部に配されたプーリ３４、３４に掛け渡されたベルト３５に連結されており、したがって、不図示のモータによりベルト３５を走行駆動して回転刃ユニット２０を移動させることにより、回転刃２１を固定刃３１の刃先３１ａに当接させて回転させながら搬送方向と交差する方向（矢印Ｂ方向）に移動させることができる。
【００２０】
ここで、回転刃２１と固定刃３１は協働して連続紙（ロール紙）１０１を切断するように配されており、ロール紙１０１のカットラインは直線状の固定刃の刃先３１ａと略一致する。回転刃２１を切断方向（図４における矢印Ｂの右方向）へ移動させながらロール紙１０１を切断するとき、この回転刃２１は、角度αで傾斜しているためにロール紙１０１の搬送上流側へ喰い込もうとする。そのため、回転刃２１は、ロール紙１０１に対して搬送上流側から下流側に引き出す力を作用させながら、該ロール紙を切断することになる。したがって、回転刃２１の切断方向（図４における矢印Ｂの右方向）への移動に伴い、該回転刃２１はロール紙１０１から搬送上流側へ寄せ付ける方向の力（付勢力）をる力を受けることとなる。これにより、切断装置８は、その姿勢が図３中の矢印Ｆで示す方向に回動変位する方向の力（付勢力）を受けることになる。
【００２１】
こうして切断装置８が矢印Ｆ方向に付勢されることから、図５に示すように、切断開始前に実線８ａで示す位置にあった切断装置８は、ロール紙１０１を切断する時には点線８ｂで示すように搬送上流側へ変位した状態になる。つまり、切断途中の切断装置８は、点線８ｂで示すように寸法ｘだけ搬送上流側へ付勢された位置へ移動することになる。そのため、ロール紙１０１のカットライン１０１ａは、図示のように、切断開始側の端縁近傍で寸法ｘだけ搬送上流側へ曲がった状態（または傾斜した状態）になる。なお、切断装置８の変位量である寸法ｘは、ロール紙１０１の厚みや剛度に依存して決まるものであり、厚くて剛度の高いロール紙１０１ほど大きくなる。
【００２２】
図６は切断装置８が搬送路から上方に移動した退避位置にある状態を示す縦断面図である。図７は切断装置８が搬送路に沿った切断位置にある状態を示す縦断面図である。記録装置１には、切断装置８を、連続紙（ロール紙）１０１を切断可能な切断位置と上方に退避した退避位置との間で移動させるための昇降手段４０が設けられている。昇降手段４０は昇降駆動部材４１と昇降レール４２を有する。次に、昇降手段４０による切断装置８の昇降移動について説明する。
【００２３】
不図示のモータ等の駆動源により駆動される昇降手段４０には、切断装置８の搬送上流側に配された昇降駆動部材４１が設けられている。切断装置８には、搬送上流側へ突出する昇降ピン４３が設けられている。昇降ピン４３は、切断装置８の固定刃ユニット３０に固定されており、昇降手段の昇降力を受けるための昇降入力部を構成している。昇降駆動部材４１は、モータ等の駆動源からの駆動力を切断装置８に昇降力として伝達するための昇降駆動部を構成している。かかる構成により、切断装置８は、昇降手段４０により、昇降ピン４３を介して矢印Ｃおよび矢印Ｄ方向に昇降駆動される。昇降レール４２は、切断装置８の搬送上流側に配され、切断装置８の昇降移動を案内するとともに搬送上流側への変位を限定するための位置規制部材を構成している。この昇降レール４２は、切断装置８の固定刃ユニット３０に設けられた昇降ガイド４４を介して、切断装置８を切断位置と退避位置との間の昇降移動可能に案内するように配されている。切断装置８の下方には、切断装置８が図７に示す切断位置にあるときに該切断装置の自重を支持するための支持部４５が配されている。この支持部４５は、切断装置８の重心Ｇよりも搬送下流側に配され、搬送下流側に傾いた状態で切断位置に下降移動してきた切断装置８を搬送上流側にある昇降レール４２からなる位置規制部材に向けて付勢する（回動させる）ためのものである。
【００２４】
カット紙１０２に画像を記録する際、図６に示すように、切断装置８は、カット紙１０２の排紙を妨害しないように搬送路から上方に退避した退避位置に位置している。ロール紙１０１に画像を記録する際は、切断装置８が図６の退避位置にある場合は、昇降手段４０によって切断装置８を矢印Ｃ方向に移動させ、図７に示すような搬送路に沿った切断位置まで下降させる。その際、摺動負荷を軽減させて滑らかに切断装置８を昇降移動させるためには、昇降手段４０（その昇降レール４２）と切断装置８（その昇降ガイド４４）との間に僅かなガタ（間隙、ゆとり）が必要である。ガタが存在しない場合は、摺動負荷が著しく増大し、摺動不能もしくは摺動不安定になるおそれがある。一方、このようなガタを設ける場合は、切断装置８が搬送路から上方の退避位置に配されているとき、切断装置８は、昇降ガイド４４の上面Ｐ１を回動支点として、上部が搬送下流側へ傾いた状態になる。つまり、切断装置８は、昇降ガイド４４の上面Ｐ１によって形成される搬送方向と交差する方向に延びる支点を中心に回動可能に支持されている。そして、切断装置８は、昇降手段４０により昇降させる際、側面下部が位置規制部材４２に当接した傾き姿勢（回動変位した姿勢）で昇降することになる。
【００２５】
そこで、退避位置にあった切断装置８が切断位置の近くまで下降してくると、切断装置８が搬送下流側に傾いた状態で、切断装置８の底面が支持部４５に当接する。すると、切断装置８は、搬送方向と交差する方向に延びる回動支点を形成する昇降ガイド４４の上面Ｐ１を回動支点（回動中心）として、底面の重心Ｇの搬送下流側の部位Ｐ２で支持部４５からの支持反力を受けることになる。こうして切断装置８の底面Ｐ２が支持部４５で支持されると、切断装置８の姿勢を支配していた回動支点が、昇降ガイド４４の上面Ｐ１から、支持部４５に当接している底面Ｐ２に変化する。この状態で昇降手段４０により切断装置８がさらに下降させられると、支持部４５が切断装置８の重心Ｇよりも搬送下流側に位置する。このため、支持部４５に支持されている切断装置８は、その底面Ｐ２を回動支点として切断装置８の上部が搬送上流側へ移動する方向に回動する。この底面の回動支点Ｐ２は搬送方向と交差する方向に延びる回動支点を形成している。これにより、切断装置８の全体が底面Ｐ２を回動支点として搬送上流側へ回動する。そして、切断装置８は、切断位置では、その上面（上部の側面）Ｐ３が位置規制部材（昇降レール）４２に当接し押し付けられた状態になる。これにより、切断装置８は、切断位置において、ガタを押さえられた状態で適正な姿勢に保持される。
【００２６】
なお、切断装置８を切断位置（図７）から搬送路から上方の退避位置（図６）まで矢印Ｄ方向に上昇移動させる際には、上述した下降移動の場合と逆の作用を与えることができる。すなわち、上昇移動に伴って、切断装置８は搬送方向と交差する方向に延びる底面Ｐ２を回動支点として、搬送方向と交差する方向に延びる支点をなす切断装置８の上面Ｐ３が昇降レール４２から離間しながら、その上部が搬送下流側へ移動する方向に傾く（回動する）。そして、昇降ガイド４４の上面Ｐ１が昇降レール４２に押し付けられると、切断装置８は搬送下流側に傾いたまま搬送路から上方に退避した図６に示す退避位置に到達する。
【００２７】
以上説明した記録装置は、回転刃を固定刃に沿って移動させることにより連続紙を切断する切断装置８と、切断装置８を連続紙１０１を切断可能な切断位置（図７）と上方に退避した退避位置（図６）との間で移動させるための昇降手段４０と、を備えている。そして、切断装置８は、連続紙１０１の搬送方向と交差する方向に配された直線状の固定刃３１と、固定刃３１に対して搬送下流側から所定角度αをもって回転可能に当接する回転刃２１とを有する。そこで、昇降手段４０により切断装置８を切断位置に移動させたとき、搬送方向と交差する方向に延びる支点を形成する昇降ガイド４４の上面Ｐ１を中心に、切断装置８をその上部が搬送上流側へ移動する方向へ回動させる。これにより、切断装置８を搬送上流側の位置規制部材４２に当接させるように構成されている。かかる構成によれば、連続紙１０１を切断するための切断装置８を昇降させる際の負荷を低減するとともに、連続紙を切断するときのカットラインを直線にすることができ、連続紙を容易に精確に切断することができる。
【００２８】
すなわち、以上説明した実施形態によれば、切断装置８を切断位置と搬送路から上方に退避した退避位置との間で昇降移動させる際に、昇降手段４０に切断装置８が摺動するための僅かなガタ（間隙、ゆとり）が設けられることになる。そのため、昇降移動の際の摺動負荷が軽減され、滑らかに切断装置８を昇降移動させることができる。また、切断装置８を切断位置に下降移動させる際、切断位置まで降下したところで、切断装置８を搬送上流側へ回動させるために、切断装置８の重心Ｇよりも搬送下流側に配した支持部４５に当接させている。そのため、切断装置８を搬送上流側の位置規制部材としての（昇降レール）４２に押し付けることにより、切断装置８のガタを押さえることができ、連続紙１０１のカットラインを直線にすることができ、連続紙１０１を容易に精確に切断することが可能になる。
【００２９】
〔第２の実施形態〕
図８は第２の実施形態に係る切断装置が搬送路から上方に退避した位置にある状態を示す縦断面図である。図９は図８の切断装置が搬送路に沿った切断位置にある状態を示す縦断面図である。図８および図９において、第１の実施形態と同じ構成要素については、それぞれを同じ符号を示し、それらの詳細説明は省略する。記録装置１には、切断装置８を、連続紙（ロール紙）１０１を切断可能な切断位置と上方に退避した退避位置との間で移動させるための昇降手段５０が設けられている。昇降手段５０は、昇降駆動部材５１と昇降レール４２を有する。昇降駆動部材５１は、昇降手段５０の昇降力を切断装置８に伝達するための出力部材を構成している。昇降レール４２は、切断装置８の昇降移動を案内するとともに搬送上流側への変位を規制する部材であり、案内部材とともに切断装置８の位置姿勢を規制するための位置規制部材を構成している。
【００３０】
不図示のモータ等の駆動源により駆動される昇降手段５０には、切断装置８の搬送上流側に配された昇降駆動部材５１が設けられている。切断装置８には、搬送上流側へ突出する昇降ピン４３が設けられている。昇降ピン４３は、切断装置８の固定刃ユニット３０に固定されており、昇降手段の昇降力を受けるための昇降入力部を構成している。昇降駆動部材５１は、モータ等の駆動源からの駆動力を切断装置８に昇降力として伝達するための昇降駆動部を構成している。かかる構成により、切断装置８は、昇降手段５０により、昇降ピン４３を介して矢印Ｃおよび矢印Ｄ方向に昇降駆動される。昇降レール４２は、切断装置８の搬送上流側に配され、切断装置８の昇降移動を案内するとともに搬送上流側への変位を限定するための位置規制部材を構成している。この昇降レール４２は、切断装置８の固定刃ユニット３０に設けられた昇降ガイド４４を介して、切断装置８を切断位置と退避位置との間の昇降移動可能に案内するように配されている。切断装置８の下方には、切断装置８が図９に示す切断位置にあるときに該切断装置の自重を支持するための支持部５５が配されている。支持部５５は、切断装置８の昇降入力部を構成する昇降ピン４３より搬送下流側に配されている。この支持部５５は、切断装置８の重心Ｇよりも搬送下流側で切断装置８の底面を支持するように配置されており、搬送下流側に傾いた状態で切断位置に下降移動してきた切断装置８を搬送上流側にある昇降レール４２からなる位置規制部材に向けて付勢する（回動させる）ためのものである。
【００３１】
本実施形態に係る記録装置のその他の構成は、前述の第１の実施形態と同様である。次に、昇降手段５０により切断装置８を矢印矢印ＣおよびＤの方向に昇降移動させるときの動作について説明する。支持部５５は、昇降駆動部である昇降駆動部材５１の搬送下流側であって切断装置８の底面側に配され、切断位置において切断装置８の自重を支えるためのものである。切断装置８（その昇降ガイド４４）と昇降手段５０（その位置規制部材４２）との間には、円滑な昇降移動を保証するためのガタ（間隙、あそぴ）が設けられている。そのため、切断装置８を昇降させる際の負荷を低減して円滑に移動させることができる。その一方で、切断装置８は、図８に示すように搬送路から上方の退避位置に位置するとき、昇降ガイド４４の上面Ｐ１を搬送方向と交差する方向に延びる回動支点として上部が搬送下流側に傾いた状態になっている。
【００３２】
切断装置８を図８の退避位置から図９の切断位置まで矢印Ｃ方向に下降させる際、切断装置８は昇降ガイド４４の上面Ｐ１を搬送方向と交差する方向に延びる回動支点として搬送下流側に傾いた姿勢となり、切断装置８の側面下部が位置規制部材４２に当接して摺動することになる。切断装置８が切断位置の近くまで下降してくると、切断装置８が搬送下流側に傾いた状態で、その底面が支持部５５に当接し、切断装置８の自重が支持部５５から支持反力で支持される状態になる。切断装置８の底面が支持部５５で支持された状態でさらに昇降手段５０による下降駆動が続けられると、昇降ピン（昇降入力部）４３の上面Ｐ４は、搬送上流側に配された昇降駆動部材５１（その押圧面からなる昇降駆動部）によって矢印Ｃ方向に押し下げられる。そのとき、切断装置８は、搬送方向と交差する方向に延びる回動支点となる底面Ｐ２（その支持部５５との当接部）を中心に回動することになる。そのため、切断装置８は、支持部５５に支えられている底面Ｐ２を中心に、昇降ピン４３の上面４３が位置規制部材４２に当接するまで切断装置８全体が搬送上流側に回動する。
【００３３】
これによって、切断装置８は、切断位置（図９）においては、回動支点をなす底面Ｐ２で支持されるとともに、切断装置８の上面Ｐ３が位置規制部材４２に押し付けられた状態になる。したがって、切断装置８は、切断位置において、ガタを押さえられた正しい切断姿勢に保持されることになる。つまり、本実施形態では、切断装置８が切断位置にあるとき、昇降駆動部である昇降駆動部材５１によって、昇降入力部である昇降ピン４３の上面Ｐ４に昇降手段５０の押し下げ力を作用させるように構成されている。そして、本実施形態では、昇降手段５０により切断装置８を切断位置に移動させたとき、切断装置８は、切断位置において、搬送方向と交差する方向に延びる支点を中心に回動し、搬送上流側に位置する位置規制部材４２に向けて付勢される。したがって、切断装置８は、底面Ｐ２を支点にして回動し、切断装置８の上面Ｐ３が位置規制部材４２に当接することで正しい切断姿勢に保持されることになる。
【００３４】
こうして、本実施形態でも、切断装置を昇降させるときは必要なガタを確保するとともに、切断位置においては、切断装置８を、搬送上流側の位置規制部材４２に付勢することによりガタを低減もしくは無くした状態で適正な姿勢で保持することができる。したがって、本実施形態によっても、連続紙１０１を切断するための切断装置８を昇降させる際の負荷を低減するとともに、連続紙を切断するときのカットラインを直線にすることができ、連続紙を容易に精確に切断することが可能となる。なお、本実施形態においても、切断装置８を図９の切断位置から図８の退避位置まで矢印Ｄ方向に上昇移動させる際は、第１の実施の形態と同様、上述の下降移動の際とは逆の動作および作用によって、負荷を低減した状態で円滑に移動させることができる。また、本発明に係る記録装置は、切断装置全体が移動する構成であれば、上述の実施形態に限定されることなく種々の態様で実施できるものであり、本発明はこれらをその技術的範囲に含むものである。
【００３５】
なお、以上の実施形態では、インクジェット記録装置を例に挙げて説明したが、本発明は、熱転写式、レーザービーム式、加熱式、ワイヤドット式など、その他の方法で画像形成する画像形成装置においても同様に適用可能である。また、本発明は、記録ヘッドによる主走査と搬送動作による副走査とを交互に繰り返して記録を行うシリアル方式、搬送動作による副走査のみで連続的に記録を行うライン方式など、記録動作の方式に関わらず、同様に適用可能である。また、本発明は、記録ヘッドの数、使用するインクの種類や性状数などに関わらず、同様に適用可能である。また、本発明は、記録媒体の材質として、紙、プラスチックフィルム、印画紙、不織布など、種々の異なる材質を使用する場合にも、同様に適用可能である。
【符号の説明】
【００３６】
１        記録装置
３        搬送ローラ
７        排紙ローラ
８        切断装置
９        排紙トレイ
２０      回転刃ユニット
２１      回転刃
３０      固定刃ユニット
３１      固定刃
４０      昇降手段
４１      昇降駆動部（昇降駆動部材）
４２      位置規制部材（昇降レール）
４３      昇降入力部（昇降ピン）
４４      昇降ガイド
４５      支持部
５０      昇降手段
５１      昇降駆動部（昇降駆動部材）
５５      支持部
７０      記録ヘッド
９０      制御手段
１０１    連続紙（ロール紙）                                                    １０２    カット紙
１０１ａ  カットライン
Ｐ１      昇降ガイドの上面
Ｐ２      底面                                                                  Ｐ３      昇降ピンの上面
Ｐ４      昇降ピンの押し下げ面
【図１】
0005489746.tif 000002
【図２】
0005489746.tif 000003
【図３】
0005489746.tif 000004
【図４】
0005489746.tif 000005
【図５】
0005489746.tif 000006
【図６】
0005489746.tif 000007
【図７】
0005489746.tif 000008
【図８】
0005489746.tif 000009
【図９】
0005489746.tif 000010